(57)【要約】【課題】ダイカスト鋳造による製品の堰部分を短時間で破断分離できるようにする。【解決手段】ベース１１上に起立配置した正面側壁７ａ、左右側壁７ｂ，７ｃから平面略コ字枠状に形成した装置本体１、前部に製品保持機構部６を有する側面から見て二股状の梃子作用点となる振動作用子４、振動作用子４の略中央に振動中心として枢着し左右側壁７ｂ，７ｃに揺動自在に横架した梃子支点軸３、梃子支点軸３を支点として力点側駆動源Ｍ１によって所定の偏心方向および偏心量を有して振動する梃子力点となる起動側偏心軸２それぞれを備える。また、梃子支点軸３を支点側駆動源Ｍ２によって起動側偏心軸２の偏心方向および偏心量に対して異なる偏心方向および偏心量となって振動可能にし、起動側偏心軸２の偏心振動と梃子支点軸３の偏心振動との合成により振動作用子４をランダム振動可能にする。【選択図】図２
2019093442.tif 000002
【特許請求の範囲】
【請求項１】
ベース上に起立配置した正面側壁、左右側壁から平面略コ字枠状に形成した装置本体、前部に製品保持機構部を有する側面から見て二股状の梃子作用点となる振動作用子、振動作用子の略中央に振動中心として枢着され左右側壁に揺動自在に横架された梃子支点軸、梃子支点軸を支点として力点側駆動源によって所定の偏心方向および偏心量を有して振動する梃子力点となる起動側偏心軸それぞれを備えた金型鋳造製品の振動式分離装置において、梃子支点軸を支点側駆動源によって起動側偏心軸の偏心方向および偏心量に対して異なる偏心方向および偏心量となって振動させ、起動側偏心軸の偏心振動と梃子支点軸の偏心振動との合成により振動作用子をランダム振動させることを特徴とする金型鋳造製品の振動式分離装置。
【請求項２】
起動側偏心軸、梃子支点軸それぞれは互いに回転数の異なるものとなし、力点側駆動源および支点側駆動源として電動機による連続回転またはエアーシリンダによる揺動運動のいずれかによって起動側偏心軸、梃子支点軸それぞれを揺動させる請求項１記載の金型鋳造製品の振動式分離装置。
【発明の詳細な説明】
【技術分野】
【０００１】
本発明は、ダイカストや射出成形によって鋳造した金型鋳造製品における鋳造製品部分と湯口方案部分とを連続している堰部位を破断して鋳造製品部分のみを分離して取り出し、ダイカスト鋳造製品としての体裁を整えるようにするための金型鋳造製品の振動式分離装置に関する。
【背景技術】
【０００２】
一般に、ダイカストや射出成形によって種々の形態の鋳造製品を製造する場合、湯口、湯道、堰の流路を経ることで溶融材料を供給し、溶融材料の凝固後においては湯口方案部分に堰で繁がる製品として金型から取り出される。このように製品凝固後ではこれらの流路で凝固化している湯口方案部分と鋳造製品部分とが一体となっているのは避けられず、製品から湯口方案部分を分離する必要がある。
【０００３】
そこで、従来においては、例えば、特許文献１に開示されているように、製品の固有振動数に対応した振動作用子の振動によって、ダイカスト鋳造等による製品の鋳造製品部分と湯口方案部分とを連続させている堰部分を破断し、製品から湯口方案部分を分離するようにした金型鋳造製品の振動式分離装置が提案されている。
【０００４】
この特許文献１によれば、振動中心軸を中心として振動可能とした振動作用子全体を強制振動可能とした加振装置を有してなる振動機構部を備え、振動作用子に設けた製品保持機構部で挟持した製品の固有振動数に対応した振動機構部による振動作用子の振動によって製品の鋳造製品部分と湯口方案部分とを連続させている堰部分を破断し、製品部から湯口方案部分を分離する。
【０００５】
そして、加振装置は、偏心回転する偏心回転板を振動作用子の梃子端に嵌め入れてなり、偏心回転板の偏心回転が梃子端を介して、更にはベアリングを介して偏心回転板を振動させるものとなり、偏心回転速度に対応して振動作用子を振動させることで、この振動作用子の製品保持機構部によって保持されている製品を振動させる。
【先行技術文献】
【特許文献】
【０００６】
【特許文献１】特許第４７６３６５３号公報
【発明の概要】
【発明が解決しようとする課題】
【０００７】
しかしながら、上記した特許文献１による場合では、製品の固有振動数に共振させて加振させ、製品の振動数を変化させることで製品から堰部分を破断するものとしているが、製品の湯口方案部分と鋳造製品部分とが同位相となって共振した場合には、製品の鋳造製品部分と湯口方案部分とを連続させている堰部分に撓み応力を集中させることができず、堰部分を容易に破断できないことがあり、また破断されるまで時間が掛かることがある。
【０００８】
しかも、特許文献１では振動機構部である力点のみの偏芯回転であったため、製品をある一定の周波数で起振させても容易には分離しない。そこで湯口方案部分と鋳造製品部分とを分離するために従来では周波数を任意に、例えば３段階等に周波数を設定してモータを回転変化させていた。しかし、この場合においても、分離されるまでには時間が掛かってしまう。
【０００９】
そこで本発明は叙上のような従来存した諸事情に鑑み創出されたもので、その目的は、製品の固有振動数に対応した振動作用子の振動によって、ダイカストや射出成形等による製品の鋳造製品部分と湯口方案部分とを連続させている堰部分を破断分離する従来の振動式分離装置を改良して、堰部分を短時間で確実に破断分離できるものとした金型鋳造製品の振動式分離装置を提供することにある。
【課題を解決するための手段】
【００１０】
上述した課題を解決するため、本発明にあっては、後述する発明を実施するための形態における使用符号を付記して説明すると、ベース１１上に起立配置した正面側壁７ａ、左右側壁７ｂ，７ｃから平面略コ字枠状に形成した装置本体１、前部に製品保持機構部６を有する側面から見て二股状の梃子作用点となる振動作用子４、振動作用子４の略中央に振動中心として枢着され左右側壁７ｂ，７ｃに揺動自在に横架された梃子支点軸３、梃子支点軸３を支点として力点側駆動源Ｍ１によって所定の偏心方向および偏心量を有して振動する梃子力点となる起動側偏心軸２それぞれを備えた金型鋳造製品の振動式分離装置において、梃子支点軸３を支点側駆動源Ｍ２によって起動側偏心軸２の偏心方向および偏心量に対して異なる偏心方向および偏心量となって振動させ、起動側偏心軸２の偏心振動と梃子支点軸３の偏心振動との合成により振動作用子４をランダム振動させることを特徴とする。
起動側偏心軸２、梃子支点軸３それぞれは互いに回転数の異なるものとなし、力点側駆動源Ｍ１および支点側駆動源Ｍ２として電動機による連続回転またはエアーシリンダによる揺動運動のいずれかによって起動側偏心軸２、梃子支点軸３それぞれを揺動させるものとすることができる。
【００１１】
以上のように構成された本発明に係る金型鋳造製品の振動式分離装置にあって、梃子支点軸３および起動側偏心軸２は、互いに回転数の異なることによって、互いに異なる偏心方向および偏心量となって振動させられ、双方の合成により振動作用子４をランダム振動させる。これによって振動作用子４は製品Ｐを共振させることなく、堰Ｓ部分に撓み応力を集中させて鋳造製品部分Ｐ１と湯口方案部分Ｐ２とを分離可能にさせる。
互いに回転数の異なる梃子支点軸３および起動側偏心軸２は、互いに偏心方向が異なるものとなることで双方に位相差を生じさせる。
また、起動側偏心軸２と梃子支点軸３とで互いに偏心量、偏心方向等が異なることで双方の振幅、振動数等に差異を生じさせ、更に様々な振動波形を生じさせる。
力点側駆動源Ｍ１および支点側駆動源Ｍ２として電動機による連続回転またはエアーシリンダによる揺動運動のいずれかによって、互いに回転数の異なる起動側偏心軸２、梃子支点軸３それぞれを揺動させることで、振動作用子４のランダム振動を短時間に生起可能にさせる。
【発明の効果】
【００１２】
本発明は以上説明したように構成されているため、ダイカスト鋳造による製品Ｐの鋳造製品部分Ｐ１と湯口方案部分Ｐ２とを連続させている堰Ｓ部分を短時間で確実に破断分離できる。
【００１３】
すなわちこれは本発明が、梃子支点軸３を支点側駆動源Ｍ２によって起動側偏心軸２の偏心方向および偏心量に対して異なる偏心方向および偏心量となって振動させ、起動側偏心軸２の偏心振動と梃子支点軸３の偏心振動との合成により振動作用子４をランダム振動させるものとしたからであり、これにより、力点側駆動源Ｍ１および支点側駆動源Ｍ２によって、起動側偏心軸２と梃子支点軸３とを同時に回転起動させた際に、梃子支点軸３と起動側偏心軸２とで互いに偏心方向が異なることで双方に位相差を生じさせ、梃子支点軸３と起動側偏心軸２とで互いに偏心量が異なることで双方の振幅に差異を生じさせることで、振動作用子４は正弦波による規則的な振動に対してランダムな振動となし、製品Ｐを共振させることを回避でき、堰Ｓ部分に撓み応力を集中させて鋳造製品部分Ｐ１と湯口方案部分Ｐ２とを短時間に分離破断することができる。
【００１４】
起動側偏心軸２、梃子支点軸３それぞれは互いに回転数の異なるものとなし、力点側駆動源Ｍ１および支点側駆動源Ｍ２として電動機による連続回転またはエアーシリンダによる揺動運動のいずれかによって起動側偏心軸２、梃子支点軸３それぞれを揺動させることで、振動作用子４のランダム振動を短時間で容易に且つ連続的に生起させることができる。
【００１５】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１６】
【図１】本発明を実施するための一形態を示す平面図である。
【図２】同じく使用状態の一部破断の側面図である。
【図３】振動作用子の正弦波による規則的な振動曲線を示す図である。
【図４】振動作用子をランダム振動させた場合の振動曲線を示す図である。
【発明を実施するための形態】
【００１７】
以下、図面を参照して本発明を実施するための一形態を説明すると、図において示される符号１は、本発明に係る金型鋳造製品の振動式分離装置を構成する装置本体である。該装置本体１は、図１および図２に示すように、装置本体１のベース１１上に正面側壁７ａ、左右側壁７ｂ，７ｃが起立配置され平面から見て略コ字枠形状に形成し、前部に後述する製品保持機構部６を有する側面から見て二股状の振動作用子４の略中央に位置する梃子支点軸３が回転軸受１２を介して左右側壁７ｂ，７ｃ相互間に横架され、梃子支点軸３を中心に前後部が例えば上下方向に揺動する。
【００１８】
そして、梃子支点軸３自体が任意の偏心量で揺動するよう回転軸受１２には偏心回転板１３を嵌め合わせ、偏心回転板１３に梃子支点軸３を例えば０．５ｍｍ〜１ｍｍの範囲に偏心させて固着してある。また、梃子支点軸３の後部における梃子端１０の略中央位置で起動側偏心軸２が回転軸受８を介して左右側壁７ｂ，７ｃ相互間に横架され、起動側偏心軸２自体が任意の偏心量で揺動するよう回転軸受８には偏心回転板９を嵌め合わせ、偏心回転板９に起動側偏心軸２を例えば２ｍｍ〜４ｍｍの範囲に偏心させて固着してある（尚、図においては、偏心構成の理解を容易にするためやや強調して示されている）。
【００１９】
起動側偏心軸２は、力点側駆動源Ｍ１による回転駆動によって所定の偏心方向と偏心量で振動する梃子力点となる。梃子支点軸３は振動中心として枢着され且つ自体が支点側駆動源Ｍ２の回転駆動によって起動側偏心軸２とは同一あるいは異なる偏心方向と偏心量で振動する。振動作用子４は、製品Ｐをクランプ側作用点Ｋにおいて保持してその鋳造製品部分Ｐ１と湯口方案部分Ｐ２とを連続させている堰Ｓの肉薄なゲート（分離箇所）Ｇ部分を振動によって破断する梃子作用点となる。これら力点側駆動源Ｍ１によって振動する起動側偏心軸２と支点側駆動源Ｍ２によって振動する梃子支点軸３とによって、加振装置５が構成される。
【００２０】
ここで、起動側偏心軸２と梃子支点軸３とが偏心することでそれらの偏心支点間の距離に長短が生じ、あるいは方向が異なることになる。そうすると、例えば振動作用子４の上下方向に沿う同方向の偏心となった場合では振幅が大きくなり、梃子支点軸３が振動作動子４の前後方向に沿う偏心となった場合では振動数を増減させ、更に共に異なる方向に沿う偏心となった場合では振動波形が様々に複雑に変化し（図４参照）、クランプ側作用点Ｋは極めて不規則な振動となって製品Ｐの固有振動数とは一致することが殆どないようになる。
【００２１】
加振装置５は、力点側駆動源Ｍ１および支点側駆動源Ｍ２としての例えば減速機付き駆動モータ等の電動機による起動側偏心軸２および梃子支点軸３の同時の回転駆動により振動作用子４に対する合成された二重の連成振動作用となって当該振動作用子４をランダム振動可能にする。
【００２２】
力点側駆動源Ｍ１および支点側駆動源Ｍ２の所定数の回転、更には減・増速機構を介した増減によって得られる振動作用子４の振動数が製品Ｐの固有振動数に対応しないように、例えばモータ等の電動機の電源周波数を例えばインバータ等により自在に変えることで電動機の回転数を制御している。
【００２３】
すなわち、力点側駆動源Ｍ１の回転は、偏心回転板９を偏心回転させ、この偏心回転は梃子支点軸３の後部における梃子端１０を振幅させ、回転数に伴い振動作用子４自体を振動させる。また、支点側駆動源Ｍ２の回転は、偏心回転板１３を偏心回転させ、この偏心回転は梃子支点軸３を振幅させ、回転数に伴い梃子支点軸３自体を振動させる。
【００２４】
この実施の形態では、梃子支点軸３を起動側偏心軸２の偏心方向および偏心量に対して異なる偏心方向および偏心量となって振動させることで振動作用子４をランダム振動させている（図４参照）。例えば、互いに回転数の異なる力点側駆動源Ｍ１および支点側駆動源Ｍ２は、梃子支点軸３と起動側偏心軸２とで互いに偏心方向が異なることで双方に位相差を生じさせる。また、梃子支点軸３と起動側偏心軸２で互いに偏心量が異なることで双方の振幅に差異を生じさせる。
【００２５】
これにより図４に示すように、振動作用子４は図３に示すような規則性のある正弦波と異なるランダムな振動となり、前部の製品保持機構部６にて保持されている製品Ｐに対し、位相と振幅の異なる二重の連成振動を与えることとなる。
【００２６】
また、この実施の形態では、起動側偏心軸２および梃子支点軸３を、例えばモータ等の電動機による力点側駆動源Ｍ１および支点側駆動源Ｍ２の連続回転によって駆動させているものとしているが、この他、エアーシリンダによる力点側駆動源Ｍ１および支点側駆動源Ｍ２の揺動駆動によって揺動させるものとしても良い。
【００２７】
振動作用子４の前部側の製品保持機構部６は、コ字部の例えば下端側に支持ロッド１４ａを昇降自在とする例えば油圧式もしくは圧縮エアー式等のシリンダ機構部１４を設け、これに対応して振動作用子４のコ字部の上端側には、上昇した支持ロッド１４ａと共に製品Ｐを挟持するようにした密着保持するためのチャック部１５を設けてなる。
【００２８】
シリンダ機構部１４は、シリンダ内にピストンが挿入され、該ピストンをシリンダ内の油圧もしくは空気圧の制御によって昇降自在としてある。そして、ピストンにはチャック部１５に対向して支持ロッド１４ａが取り付けられており、上昇突出した支持ロッド１４ａの先端がシリンダ内の油圧もしくは空気圧でもって製品Ｐの例えば湯口方案部分Ｐ２部分を、チャック部１５と共に下側からしっかりと押さえ込むものとしてある。
【００２９】
尚、上記した加振装置５として、他の方式を採用しても良いことは勿論である。例えば、加振装置５自体を往復動するエアーシリンダによって構成することも可能である（図示せず）。また、加振装置５の後方へ向けて斜め下方向に傾斜した受台としてのシューターを設け、振動作用子４の振動によって堰Ｓ部位が破断されて落下した鋳造製品部分Ｐ１をこのシューターで受けて所定方向に排出できるようにしても良い（図示せず）。
【００３０】
これにより、不図示のダイカストマシンを使っての金型鋳造によって製造された製品Ｐにおける鋳造製品部分Ｐ１と湯口方案部分Ｐ２とを分離する場合には、湯口方案部分Ｐ２の一端側をロボットアーム先端のハンドチャックによって把持しながら支持ロッド１４ａとチャック部１５との間に搬送させ、当該湯口方案部分Ｐ２を、上昇した下側の支持ロッド１４ａと上側のチャック部１５とによって挟持させておく。次いで、加振装置５を駆動させることで、振動作用子４を振動させると、製品Ｐにおける脆弱な堰Ｓのゲート（分離箇所）Ｇ部位に応力が集中して、このゲート（分離箇所）Ｇ部位にて破断され、鋳造製品部分Ｐ１を湯口方案部分Ｐ２から分離するものである。
【００３１】
次に、以上のように構成された最良の形態についての使用、動作の一例について説明する。例えばダイカストマシン等を使っての金型鋳造によって製造された製品Ｐにおいて、鋳造製品部分Ｐ１と湯口方案部分Ｐ２とを堰Ｓ部位で分離して鋳造製品部分Ｐ１を取り出すとき、先ず装置本体１の振動作用子４における製品保持機構部６の支持ロッド１４ａを下降させておく。
【００３２】
一方、金型から取り出された製品Ｐを搬送ロボットのアーム先端のハンドチャックによって把持し、製品保持機構部６内に側方から搬入する。そして、支持ロッド１４ａをシリンダ機構部１４によって上昇させることで、当該支持ロッド１４ａと上側のチャック部１５とによって例えば製品Ｐの湯口方案部分Ｐ２を挟持した後、ハンドチャックを約９０度旋回させてから側方に退避移動させる。
【００３３】
次いで、湯口方案部分Ｐ２を製品保持機構部６によって挟持させたままの状態で力点側駆動源Ｍ１および支点側駆動源Ｍ２を起動して加振装置５を駆動することで、振動作用子４をランダム振動させる。図２に示すように、このランダム振動が、製品保持機構部６のクランプ側作用点Ｋによって保持されている製品Ｐに伝達した際には、製品Ｐ全体を共振させないから、鋳造製品部分Ｐ１と湯口方案部分Ｐ２とを連続させている堰Ｓ部位に対する撓み応力の集中が短時間に効率良く行われ、肉薄なゲート（分離箇所）Ｇ部位が破断される。その結果、薄肉なゲート（分離箇所）Ｇ部位で破断されることで、製品Ｐにおける鋳造製品部分Ｐ１が湯口方案部分Ｐ２から分離され、鋳造製品部分Ｐ１のみを取り出すことができる。
【符号の説明】
【００３４】
Ｐ…製品
Ｓ…堰
Ｐ１…鋳造製品部分
Ｐ２…湯口方案部分
Ｍ１…力点側駆動源
Ｍ２…支点側駆動源
Ｋ…クランプ側作用点
Ｇ…ゲート（分離箇所）
１…装置本体
２…起動側偏心軸
３…梃子支点軸
４…振動作用子
５…加振装置
６…製品保持機構部
７ａ…正面側壁
７ｂ，７ｃ…左右側壁
８，１２…回転軸受
９，１３…偏心回転板
１０…梃子端
１１…ベース
１４…シリンダ機構部
１４ａ…支持ロッド
１５…チャック部
【図１】
2019093442.tif 000003
【図２】
2019093442.tif 000004
【図３】
2019093442.tif 000005
【図４】
2019093442.tif 000006
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
ベース上に起立配置した正面側壁、左右側壁から平面略コ字枠状に形成した装置本体、前部に製品保持機構部を有する側面から見て二股状の梃子作用点となる振動作用子、振動作用子の略中央に振動中心として枢着され左右側壁に揺動自在に横架された梃子支点軸、梃子支点軸を支点として力点側駆動源によって所定の偏心方向および偏心量を有して振動する梃子力点となる起動側偏心軸それぞれを備えた金型鋳造製品の振動式分離装置において、梃子支点軸を支点側駆動源によって起動側偏心軸の偏心方向および偏心量に対して異なる偏心方向および偏心量となって振動させ、起動側偏心軸の偏心振動と梃子支点軸の偏心振動との合成により偏心支点間距離の長短、方向相違によって振幅の大小、振動数の増減、振動波形の変化を生じさせることで、振動作用子をランダム振動させることを特徴とする金型鋳造製品の振動式分離装置。
【請求項２】
起動側偏心軸、梃子支点軸それぞれは互いに回転数の異なるものとなし、力点側駆動源および支点側駆動源として電動機による連続回転またはエアーシリンダによる揺動運動のいずれかによって起動側偏心軸、梃子支点軸それぞれを揺動させる請求項１記載の金型鋳造製品の振動式分離装置。
【手続補正２】
【補正対象書類名】明細書
【補正対象項目名】００１０
【補正方法】変更
【補正の内容】
【００１０】
上述した課題を解決するため、本発明にあっては、後述する発明を実施するための形態における使用符号を付記して説明すると、ベース１１上に起立配置した正面側壁７ａ、左右側壁７ｂ，７ｃから平面略コ字枠状に形成した装置本体１、前部に製品保持機構部６を有する側面から見て二股状の梃子作用点となる振動作用子４、振動作用子４の略中央に振動中心として枢着され左右側壁７ｂ，７ｃに揺動自在に横架された梃子支点軸３、梃子支点軸３を支点として力点側駆動源Ｍ１によって所定の偏心方向および偏心量を有して振動する梃子力点となる起動側偏心軸２それぞれを備えた金型鋳造製品の振動式分離装置において、梃子支点軸３を支点側駆動源Ｍ２によって起動側偏心軸２の偏心方向および偏心量に対して異なる偏心方向および偏心量となって振動させ、起動側偏心軸２の偏心振動と梃子支点軸３の偏心振動との合成により偏心支点間距離の長短、方向相違によって振幅の大小、振動数の増減、振動波形の変化を生じさせることで、振動作用子４をランダム振動させることを特徴とする。
起動側偏心軸２、梃子支点軸３それぞれは互いに回転数の異なるものとなし、力点側駆動源Ｍ１および支点側駆動源Ｍ２として電動機による連続回転またはエアーシリンダによる揺動運動のいずれかによって起動側偏心軸２、梃子支点軸３それぞれを揺動させるものとすることができる。
【手続補正３】
【補正対象書類名】明細書
【補正対象項目名】００１１
【補正方法】変更
【補正の内容】
【００１１】
以上のように構成された本発明に係る金型鋳造製品の振動式分離装置にあって、梃子支点軸３および起動側偏心軸２は、互いに回転数の異なることによって、互いに異なる偏心方向および偏心量となって振動させられ、双方の合成により振幅の大小、振動数の増減、振動波形の変化が生じて振動作用子４をランダム振動させる。これによって振動作用子４は製品Ｐを共振させることなく、堰Ｓ部分に撓み応力を集中させて鋳造製品部分Ｐ１と湯口方案部分Ｐ２とを分離可能にさせる。
互いに回転数の異なる梃子支点軸３および起動側偏心軸２は、互いに偏心方向が異なるものとなることで双方に位相差を生じさせる。
また、起動側偏心軸２と梃子支点軸３とで互いに偏心量、偏心方向等が異なることで双方の振幅、振動数等に差異を生じさせ、更に様々な振動波形を生じさせる。
力点側駆動源Ｍ１および支点側駆動源Ｍ２として電動機による連続回転またはエアーシリンダによる揺動運動のいずれかによって、互いに回転数の異なる起動側偏心軸２、梃子支点軸３それぞれを揺動させることで、振動作用子４のランダム振動を短時間に生起可能にさせる。
【手続補正４】
【補正対象書類名】明細書
【補正対象項目名】００１３
【補正方法】変更
【補正の内容】
【００１３】
すなわちこれは本発明が、梃子支点軸３を支点側駆動源Ｍ２によって起動側偏心軸２の偏心方向および偏心量に対して異なる偏心方向および偏心量となって振動させ、起動側偏心軸２の偏心振動と梃子支点軸３の偏心振動との合成により振動作用子４をランダム振動させるものとしたからであり、これにより、力点側駆動源Ｍ１および支点側駆動源Ｍ２によって、起動側偏心軸２と梃子支点軸３とを同時に回転起動させた際に、梃子支点軸３と起動側偏心軸２とで互いに偏心方向が異なることで双方に位相差を生じさせ、梃子支点軸３と起動側偏心軸２とで互いに偏心量が異なることで双方の振幅に差異を生じさせることで、振動作用子４は正弦波による規則的な振動に対して振幅の大小、振動数の増減、振動波形の変化が生じるランダムな振動となし、製品Ｐを共振させることを回避でき、堰Ｓ部分に撓み応力を集中させて鋳造製品部分Ｐ１と湯口方案部分Ｐ２とを短時間に分離破断することができる。
【手続補正５】
【補正対象書類名】明細書
【補正対象項目名】００２４
【補正方法】変更
【補正の内容】
【００２４】
この実施の形態では、梃子支点軸３を起動側偏心軸２の偏心方向および偏心量に対して異なる偏心方向および偏心量となって振動させることで、振幅の大小、振動数の増減、振動波形の変化が様々な状態で生じて振動作用子４をランダム振動させている（図４参照）。例えば、互いに回転数の異なる力点側駆動源Ｍ１および支点側駆動源Ｍ２は、梃子支点軸３と起動側偏心軸２とで互いに偏心方向が異なることで双方に位相差を生じさせる。また、梃子支点軸３と起動側偏心軸２で互いに偏心量が異なることで双方の振幅に差異を生じさせる。